Podtech/llm-jp-corpus-v4-ja_patent huggingface dataset:
(57)【要約】【課題】詰め替え後の内容物の製造履歴を明確にするため、詰め替え用の包装袋や紙器に製造履歴等が表記されたタックラベル付きの容器包装形態を提供すること。【解決手段】詰め替え用の容器（１０）に製造履歴等が表示されたタックラベル（２０）が貼付されている。このことにより、消費者は成形容器などに詰め替える際、タックラベル（２０）を詰め替え用の容器（１０）から剥がして成形容器などに貼り替えるだけで容易に内容物の製造履歴を保存しておくことができる。【選択図】図１
2004059043.tif 000002
【特許請求の範囲】
【請求項１】
詰め替え用容器に製造履歴が表示されたタックラベルが貼付されていることを特徴とする、タックラベル付き容器包装形態。
【請求項２】
前記詰め替え用容器がプラスチックフィルム等からなる軟包装袋又は紙を基材とする複合シートからなる紙容器であることを特徴とする、請求項１記載のタックラベル付き容器包装形態。
【発明の詳細な説明】
【０００１】
【発明の属する技術分野】
本発明は、洗剤、シャンプー、リンスなどの液体状内容物などに使用される詰め替え用の容器包装形態に関し、詳しくは、成形容器などに詰め替えた後も、製造履歴を表すロットナンバー等が分かるようにした詰め替え用のタックラベル付き容器包装形態に関する。
【０００２】
【従来の技術】
従来、シャンプー、リンス、食器洗い用洗剤などの液状内容物を、ポンプで適量排出して使用するポンプ式容器や各種の成形容器に充填した使用方法が多用されている。
そして、近年では資源の節約からポンプ式容器等の中身がなくなっても容器を廃棄することなく、詰め替え専用の包装袋等に充填されているシャンプー等の内容物を空になったポンプ式容器等に詰め替えて、該ポンプ式容器等を何回も再利用することが行われている。
【０００３】
しかしながら、上述の従来の詰め替え用の包装袋等については、製造履歴を表すロットナンバーなどを包装袋等に表示しておいても、ポンプ式容器等に詰め替えた後は包装袋等を捨ててしまうので、別途記入して保存したりしなければその内容物の製造履歴は分からなくなってしまうという問題がある。
【０００４】
【発明が解決しようとする課題】
本発明は、詰め替え用の包装袋や紙容器に関する以上のような問題に鑑みてなされたもので、詰め替え用の包装袋や紙容器に製造履歴等を表記したタックラベル付きの容器包装形態を提供することを課題とする。
【０００５】
【課題を解決するための手段】
本発明の請求項１の発明は、詰め替え用容器に製造履歴が表示されたタックラベルが貼付されていることを特徴とする、タックラベル付き容器包装形態である。
【０００６】
このように請求項１記載の発明によれば、詰め替え用容器には、製造履歴が表示されたタックラベルが貼付されているので、流通過程において無くなることもなく、又、内容物を成形容器等に詰め替える際は、タックラベルを詰め替え用の容器から剥がして、詰め替えた成形容器に貼り替えておくことにより、詰め替え用の容器を捨ててしまっても使用中の内容物の製造履歴が一目で分かる。
【０００７】
請求項２の発明は、請求項１の発明において、前記詰め替え用容器がプラスチックフィルム等からなる軟包装袋又は紙を基材とする複合シートからなる紙容器であることを特徴とする、タックラベル付き容器包装形態である。
【０００８】
このように請求項２記載の発明によれば、詰め替え用容器がプラスチックフィルム等からなる軟包装袋又は紙を基材とする複合シートからなる紙容器であるので、詰め替え後、詰め替え用容器は薄くなり減容化され廃棄が極めて容器である。
【０００９】
【発明の実施の形態】
本発明のタックラベル付き容器包装形態を一実施形態に基づいて以下に詳細に説明する。
本発明のタックラベル付き容器包装形態は、例えば、図１に示すように、詰め替え用の包装容器（１０）にタックラベル（２０）が貼付されているものである。
【００１０】
詰め替え用の包装容器（１０）は、軟包装フィルムからなる包装袋のほかにも紙容器、プラスチック容器なども該当する。内容物を使用中の容器に詰め替え易くするため、包装容器（１０）には種々の形状の注出口（１１）が設けられている場合が多い。
【００１１】
軟包装フィルムからなる包装袋とした場合、図１に示すように、注出口（１１）の手前に注出口切断用のノッチ（１２）を設けておくと、開封開始位置、開封方向が分かり易くなる。開封するための構造としてノッチのほかに、ミシン目、半切れ線等があり、適宜の手段を用いれば良い。
【００１２】
また、詰め替える内容物は液状物に限定されず、液状物以外にも適用可能である。
【００１３】
タックラベル（２０）は粘着ラベルで、紙、プラスチックシート等の基材の片面に粘着層が塗布され、その粘着層を剥離紙等で保護しているもので、使用時は、剥離紙を剥がして包装容器（１０）の表面等の必要箇所にラベラーなどを用いて貼り付けるものである。
【００１４】
タックラベル（２０）には、詰め替え容器に収納されている内容物の製品名やロットナンバー等の製造履歴が表示されている。
タックラベル（２０）の包装容器（１０）への貼付位置については特に限定されず、シール箇所、未シール箇所、中央部、端縁部等任意で、デザイン、使い易さ等を総合して判断すれば良い。
【００１５】
タックラベル（２０）を包装容器（１０）に貼付するにあたっては、充填前に貼っても良い。また、充填時にプリンター付きのオートラベラーを使用することにより、さらに容易に設けることができる。
【００１６】
【発明の効果】
上記のように、本発明の例えば、包装袋においては、樹脂フィルム製などの軟質の包装袋に内容物である液体等の製造履歴を表示したタックラベルを貼付して設けてあるので、従来のタックラベルの無い包装袋と同じ製造工程で包装袋を製造し、内容物である液体等を充填した後などにラベラーでタックラベルを包装袋の一部に貼付するだけであるので、製造が簡単である。
また、消費者は成形容器などに詰め替える際、タックラベルを包装袋から剥がして成形容器などに貼り替えるだけで容易に内容物の製造履歴を保存しておくことができる。従ってトラブル等が発生しても迅速に対処することができる。
【図面の簡単な説明】
【図１】本発明の製造履歴が表示されたタックラベル付き容器包装形態の一実施例を示す、平面説明図である。
【符号の説明】
１０‥‥容器包装
１１‥‥注出口
１２‥‥ノッチ
２０‥‥タックラベル
【図１】
2004059043.tif 000003
(57)【要約】【課題】使用者が描きやすく、耐久性の高いネイルアート用塗布容器を提供すること。【解決手段】本発明に係る液体塗布容器は、塗布棒をキャップ内部に連結された支持棒と支持棒に連結した毛管力を有する塗布体とで構成し、該支持棒の塗布体との連結部には塗布体後部に空気が流入できる空気流入部を設けたことを特徴とする。【選択図】　　　　図２
2004059035.tif 000002
【特許請求の範囲】
【請求項１】
内容液を貯蔵し、かつ、開口部を備えた容器と、容器の開口部からの内容液の揮発を防止するためのキャップと、該キャップ内部に連結された、容器内の内容液を取り出して目的箇所に内容液を塗布するための塗布棒を有する液体塗布容器において、該塗布棒は、該キャップ内部に連結された支持棒と支持棒と連結した毛管力を有する塗布体からなり、支持棒の塗布体との連結部には塗布体後部に空気が流入できる空気流入部を設けたことを特徴とする液体塗布容器。
【請求項２】
支持棒の塗布体との連結部は中空状となし、塗布体を支持棒の中空部に挿入固定して塗布棒を構成したことを特徴とする請求項１に記載の液体塗布容器。
【請求項３】
支持棒の塗布体との連結部の側面に塗布体後部に空気が流入できる空気孔を設けて空気流入部を構成したことを特徴とする請求項２に記載の液体塗布容器。
【発明の詳細な説明】
【０００１】
【発明の属する技術分野】
本発明は液体塗布容器に関する。
【０００２】
【従来の技術】
従来、容器内に貯蔵された内容液を塗布棒で取り出して目的箇所に塗布する例えばマニキュアのような製品は、単純な容器とキャップとキャップ内部に取り付けた塗布ブラシ付き塗布棒からなる容器を用いている。また、最近、マニキュアの新しい用途として爪または、つけ爪に絵を描いて楽しむ、いわゆるネイルアートが普及している。
このネイルアートに要求されるのは、細かな図柄を描ける機能であり、通常はマニキュア容器のブラシを細くするなどしてこの用途に供している。
【０００３】
しかしながら、ブラシの場合、総じてブラシに弾性が乏しく、不慣れな消費者には難しい作業となっている。また、ブラシが細くなればなるほど全体の耐久性がなくなるため、商品寿命という点でも問題があった。
【０００４】
【発明が解決しようとする課題】
本発明は、上記課題を解決して、使用者が描きやすく、耐久性の高いネイルアート用塗布容器を提供するものである。
【０００５】
【課題を解決するための手段】
上記課題を解決するために、本発明者は、塗布棒をキャップ内部に連結された支持棒と支持棒に連結した毛管力を有する塗布体とで構成し、該支持棒の塗布体との連結部には塗布体後部に空気が流入できる空気流入部を設けることで、上記不具合が起こらず、使用者が描きやすく、耐久性の高いネイルアート用塗布容器を提供した。
【０００６】
本発明に係る液体塗布容器において、キャップ内部に連結された支持棒の塗布体との連結部を中空状となし、塗布体を支持棒の中空部に挿入固定して塗布棒を構成することができる。
【０００７】
また、前記の支持棒の塗布体との連結部の側面に、塗布体後部に空気が流入できる空気孔を設けて空気流入部を構成することができる。
【０００８】
【実施例】
以下、本発明の一実施例を図面に基づき説明する。なお、本発明に係る液体塗布容器は、以下の実施例の形態に限られるものではない。
図１は、従来のマニキュア容器の断面図であり、キャップ１の内部に連結された塗布棒２の先端部にブラシ３が連結されている。図２は、本発明に係る液体塗布容器の断面図であり、キャップ１の内部に連結された支持棒４に塗布体５が連結されている。図３（ａ）及び（ｂ）は、図２の実施例における支持棒４の塗布体５を連結する部分を示すもので、（ａ）は、支持棒４の要部断面図、（ｂ）は、要部側面図であり、支持棒４の塗布体５を挿入連結する部分は中空部６となっており、塗布体５の支持棒４との連結部分にあたる支持棒４の側面には空気孔７を開けてあり、支持棒４の中空部６に空気が流入できるようにし、塗布体５の後部８に空気供給を可能とする。図４は、塗布体５の側面図であり、後部８は、空気流入が可能なように削り取ってある。図５（ａ）及び（ｂ）は、図４における塗布体５のＡ−Ａ線に沿った断面図、Ｂ−Ｂに沿った断面図であり、Ａ−Ａ断面図は、塗布体５が、長手方向に空気が流入しない芯部１０と外周部１１を有し、間隙１２によって毛管力を有する棒状体であることを示し、Ｂ−Ｂ断面図では、外周部１１を削り取ることによって芯部１０だけになり、支持棒４の空気孔７から流入した空気が間隙１２を通して塗布体５に流入するようになしてある。
【０００９】
本実施例によれば、かくのごとく構成しているが、本発明はもちろんこの構成に限定されるものではない。すなわち、支持棒４に開けた空気孔７について、支持棒４の側面部に空気孔７を開けなくても、支持棒４の中空部６に挿入固定した塗布体５との間に間隙部を設けて、そこから空気流入させても良い。また、本実施例では、塗布体５を空気が流入しない合成樹脂等の材料を用い、芯部１０と外周部１１の間隙１２を空気が流入するようにしているが、繊維束芯のような毛管力を有する材料を用いても良い。
【００１０】
【発明の効果】
以上、説明したように本発明に係る液体塗布容器によれば、支持棒と塗布体を連結し、支持棒の塗布体との連結部には塗布体後部に空気流入部を設けてあるので、塗布体先端が内容液に接している場合は、塗布体に毛管力があるので、塗布体先端から内容益を自然に吸い上げ、塗布時は内容液が流出する。塗布体後端への空気流入と流出がないものではこのような現象は発生せず、塗布体外面に付着した内容液のみ少量塗布できる程度である。また、塗布体を合成樹脂や繊維束の固い芯体で構成しているので、誰でも細かな図柄を描くことが可能であり、商品寿命も長い。
【図面の簡単な説明】
【図１】図１は、従来のマニキュア容器の断面図である。
【図２】図２は、本発明に係る液体塗布容器の断面図である。
【図３】図３（ａ）及び（ｂ）は、図２の実施例における支持棒の塗布体を連結する部分を示すもので、（ａ）は、支持棒の要部断面図、（ｂ）は、支持棒の要部側面図である。
【図４】図４は、塗布体の側面図である。
【図５】図５（ａ）は、図４における塗布体のＡ−Ａ線に沿った断面図、図５（ｂ）は、図４における塗布体のＢ−Ｂ線に沿った断面図である。
【符号の説明】
１　キャップ
２　塗布棒
３　ブラシ
４　支持棒
５　塗布体
６　中空部
７　空気孔
８　後部
９　先端
１０　芯部
１１　外周部
１２　間隙
【図１】
2004059035.tif 000003
【図２】
2004059035.tif 000004
【図３】
2004059035.tif 000005
【図４】
2004059035.tif 000006
【図５】
2004059035.tif 000007
(57)【要約】　　　（修正有）【課題】環境汚染しない安全な洗剤水を提供する。【解決手段】合成人工化学物質をまったく使用しない氷山海流水の濃縮酸性のｐＨ値０．９と濃縮アルカリ性ｐＨ値１２．４の調整混合によりｐＨ値７．３５〜ｐＨ値９の間のアクリ泡のたたない洗剤水を作成、環境汚染しない安全な洗剤水です。【選択図】　図１
2004059888.tif 000002
【特許請求の範囲】
【請求項１】
氷山海流水の濃縮酸性ｐＨ値０．９と濃縮アルカリ性ｐＨ値１２．４を調整混合してｐＨ値７．３５〜ｐＨ値９の間の液とさらに磁力活性水を混合した洗剤水を作ります。
【請求項２】
合成人工化学物質をまったく使用しない氷山海流水より採出調整したアクリ泡のたたない洗剤水は無公害洗剤水です。
【請求項３】
アクリ泡のたたない洗剤水はヒドロキシル基の形成により水軟化剤の働きの利点を有する磁力活性水と氷山海流水を混合することによって、洗浄効果を強めます。
【請求項４】
アクリ泡のたたない洗剤水は飲食、クリーニング、病院、ガソリンスタンド、ビルマンションの業務用から、家庭用の衣類、台所、浴槽等の洗浄、清掃等に用います。
【発明の詳細な説明】
【従来の技術】
現在の洗剤をめぐる問題は、家庭や飲食店からの毎日排出される人工化学廃水であり、またこの廃水は、さらなる反応系となり複合汚染を起こしています。「人」を生み出した「生態系」が破壊されています。
この公害は、私達人間の存在をも脅かす次元にまできています。
【発明が解決しようとする課題】
通常の水（Ｈ２Ｏ）は、水素間結合により水の分子の固まり（クラスター）ができて、その中に有害物質（残留塩素・トリハロメタン等）がとりこまれています。（図１）水が磁界を通過すると、水の分子間結合（クラスター）が分断され、有害物質がはじき出されて、「磁力活性水」になります。（図２）磁力活性水の有害物質は水素イオンの働きで不活性化し、蛇口から出た瞬間に蒸発させて、カルシウムイオン、塩素イオン、ナトリウムイオンなどを除去し、髪や肌にソフトな中性の水になります。その結果、雑菌、大腸菌等の増繁殖を抑し、水による手荒れ、肌荒れを予防しさらに臭いを抑制し、塩素と石鹸やシャンプーに含まれている化学物質が反応して発生する有害物質の害を防ぎ、石鹸、シャンプーの泡立ちをよくします。以上の水に氷山海流水を濃縮酸性ｐＨ値０．９と濃縮アルカリ性ｐＨ値１２．４を混合してｐＨ値７．３５〜ｐＨ値９の間に調製し、「磁力活性水」に混合してアクリ泡のたたない洗剤水を作ります。
【発明の実施例】
氷山海流水の濃縮アルカリ性ｐＨ値１２．４を磁力活性水で１００，０００倍に希釈してｐＨ値７．３５〜ｐＨ値９のアクリ泡のたたない洗剤水を作ります。氷山海流水のアルカリ性と磁力活性水のヒドロキシル基で洗浄力を強くした洗剤水になり、洗浄力の効果が期待できます。
【発明の効果】
実施例の写真は、アクリ泡のたたない洗剤水ｐＨ値１２で洗った状態です。画面左右側がアクリ泡のたたない洗剤水で洗ったもので、中央は他社の洗剤で洗った状態です。
【図面の簡単な説明】
【図１】水の分子が残留塩素またはトリハロメタンを取り込んだ図です。
【図２】水の分子集団（クラスター）に磁力を加え、水の分子集団（クラスター）が分断された図です。
【符号の説明】
○　水の分子
●　残留塩素
◆　トリハロメタン
【図１】
2004059888.tif 000003
【図２】
2004059888.tif 000004
(57)【要約】　　　（修正有）【課題】食品不安の原因である安全性の確保と開缶の扱い易さと飲み易さを得る。特に、プルトップ缶の開け易さ、飲み易さなどを得る。【解決手段】開缶時に缶内部から飲み口９が突出する様にしたので、流通過程で外気に触れた部位に直接、口や内容物が接しないで内容物を飲むことができ、不潔感なく、安全性と飲み易さを確保すると共に、取手８の位置を換えかつシーソーのように動き易くし、少しの力で開けることができるようにした。【選択図】図３
2004059149.tif 000002
【特許請求の範囲】
【請求項１】
（図２ア▲１▼）のプルトップのプレス時に（▲２▼）の部分を切り取らず、折り曲げて缶から切り離なさない。
【請求項２】
開缶（図１）をすれば内部から飲み口が突出する。ジュース・コーヒー等その他飲料に用いるアルミ・スチール等の缶、あるいは紙ＰＥＴ等の缶同等の物。
【請求項３】
プルトップの取手（図２・ア・▲３▼）の取付位置を取手接着可能な幅の部分を山型にプレスで隆起させ（図２・イ・▲４▼）その隆起した山型中央部に取手を取り付ける。
【請求項４】
飲み口（図３・イ）を円に限らず、だ円、三角、四角、五角等円すい型のジャバラ状の空洞の物（図３・ア・▲７▼）様に（図３・ア・▲５▼▲６▼）に接着する。
【請求項５】
請求項２の隆起した山型に請求項３を取り付け（図３・ウ・▲１１▼）の様に通気口を造る。
【発明の詳細な説明】
【０００１】
弧を描く様に引き上げることにより点線の位置から切れ飲み口が突出する穴ですが形はこれに限らず飲み口の底部の形により異なり多様である。
【０００２】
（▲１▼）のプルトップを切り離なせば過去の形の物と同様であり、ゴミとなりますが、これを切り離なさず、折り曲げ、缶の側面に添わせるための接続部である。
【０００３】
（▲１▼）のプルトップの取手で中央部に接着部である。
【０００４】
（▲３▼）を指で動かそうとしても爪の長い女性や老人・子供には容易ではなく、硬貨等を使い、こじ空けている。そこで（▲３▼）の接着面を隆起させ山型にし、隆起の山の中央部に（▲３▼）の中央部を取り付けることで、シーソーの様に動き易く、その支点となる中央に最初の缶の切り口を付ける。そうすれば少しの力で空けることが出来、取手を持ち易い。
【０００５】
（図３・イ）の飲み口の部分（▲９▼）の接合部で、これは、缶の中から飲み口を引っぱり上げるため（▲１▼）のプルトップの内側に接着します。（図３・イ）の素材を現在流通している缶の内外にコーティングされているフィルムシートのＰＥＴ（ポリエチレン　テレスパレート）として、接着方法は、この素材の特性を生かし約１３０℃の熱を加えれば接着させることが可能である。（▲９▼）の口を持ち上げるには十分な接着力である。
【０００６】
（▲５▼）と同じく（図３・イ）の（▲１０▼）の接合部である。（▲５▼）と同様の接着方法である。その際取手と反対側の接合面は、（▲１▼）をすっぽりと被う様に接着しますが取手の側は、（▲４▼）が内部からは凹の状態にあり、それをまたぐ格こうで（▲３▼）より外側に、（▲４▼）の凹部分の外から約１〜２ｍｍを空けて接着します。それで開缶時（▲１１▼）の様に通気口が出来る。
【０００７】
（図３・イ）を缶上部の内側に接着したところである。
（図３・イ）
（図１）の様に開缶時（▲１０▼）の底部を除き突出する飲み口で（▲９▼）の口から内容物が出る様に空洞で従来の缶内外のコーティング材と同様のＰＥＴ（ポリエチレン　テレスパート）を使用し、やや硬めのジャバラ状のもの。これはデザインによって大きさや形は多様化できる。
【０００８】
上方へ引き上げるプルトップの取手。
【０００９】
開缶時突出する飲み口の口に直接触れる部分である。
【００１０】
開缶時飲み口を固定させ、内容物の流出を防ぐための飲み口の底にあたる部位である。
【００１１】
（▲９▼）を口にくわえて飲む際、内部が密閉されますと内容物が出なくなるため、開缶時に出来る通気口である。
【００１２】
弧を描き取手を引き上げると（図３・イ）はプルトップの内側に接着された（▲９▼）、（▲１０▼）の出口をすっぽり被い（▲６▼）の接着された底の部分を除いて突出する。
【００１３】
（図３・イ）が出てきたところである。
【００１４】
（▲１３▼）をはずすためと口をつけ飲むのに邪魔にならなくするために、次は下向きに力を加え（▲１３▼）をはずし、ジャバラ状で逆もどりもせず固定されているので（▲１４▼）に固定する。
【図面の簡単な説明】
【図１】開缶時の側面上方からの立体図である。
【図２】ア
製缶時の側面上方からの上部のみの立体図である。
イ
製缶過程の取手を装着する前の側面上方からの上部のみの立体図である。
【図３】ア
製缶時の上部の縦断面図である。
イ
突出する飲み口の部位のみの側面からの立体図である。
ウ
開缶途中の取手の部位を起こしたところの上部の縦断面図である。
【図４】ア
開缶途中、飲み口が上がりきったところの上部の縦断面図である。
イ
開缶時の上部の縦断面図である。
【図１】
2004059149.tif 000003
【図２】
2004059149.tif 000004
【図３】
2004059149.tif 000005
【図４】
2004059149.tif 000006
(57)【要約】　　　（修正有）【課題】長時間にわたりペットボトルの冷たい飲料水を提供し，また，寒い時期に長時間にわたり暖かい弁当を提供出来る、保温カバーを提供する。【解決手段】保冷効果を高めるためにペットボトル用カバーの内部に保冷剤を入れた。また，弁当箱用カバーの内部に使い捨てカイロを収納できるポケットを設けた。【選択図】図２
2004059145.tif 000002
【特許請求の範囲】
【請求項１】
内部に保冷剤を入れたペットボトル用の保温カバー。
【請求項２】
内部にポケット（使い捨てカイロ用）を設けた弁当箱用の保温カバー。
【発明の詳細な説明】
【０００１】
【産業上の利用分野】
本発明は、ペットボトル用及び弁当箱用の保温カバーに関するものである。
【０００２】
【従来の技術および課題】
従来、ペットボトルを持ち歩く際、わずかな時間の経過で中の飲料水の温度は上がり、水筒等のカバーをペットボトルに付けても、その保温効果は小さいものである。
【０００３】
また、寒い時期の弁当はすぐに冷たくなり、だれもが食する時は暖かい弁当を欲するものである。
弁当箱については、ジャー式のものは形が大きく重いため、持ち運びに不便である。
また、従来の弁当用カバーの保温効果は小さい。
【０００４】
【課題を解決するための手段】
本発明は、保温効果を高めるために図１のごとくペットボトル用カバー１の内部２に保冷剤３を入れた。
【０００５】
弁当用カバーについては、図３のごとく内部に使い捨てカイロを収納できるポケット５を設けた。
【０００６】
【使用法】
本ペットボトル用の保温カバーは、そのまま冷凍庫または冷蔵庫で冷却し、使用時にペットボトルに取り付ければよく、使用法は極めて簡単である。
【０００７】
本弁当箱用の保温カバーは、弁当を入れる際にカバー内部のポケットに市販の使い捨てカイロを入れるとよい。
【０００８】
【発明の効果】
冷却した本ペットボトル用の保温カバーをペットボトルに取り付けると、保冷剤及びカバーの保温効果により、長時間にわたり使用者に冷たい飲料水を提供できる。
【０００９】
寒い時期に、使い捨てカイロを収納した本弁当箱用の保温カバーを使用すると、使い捨てカイロの発熱により弁当箱が暖められ、さらにカバーの保温効果も重なり、長時間にわたり使用者に暖かい弁当を提供できる。
また、本弁当箱用の保温カバーにサンドイッチ等を入れたり、暑い時期の弁当には、カバー内部のポケットに保冷剤を入れると、冷却作用により、腐敗を防ぐ効果もある。
【００１０】
【実施例】
本ペットボトル用の保温カバーは、加工に適したビニールを使用し、保冷剤部分を分割して、ペットボトルに取り付け易く、冷却時には折りたたみ易くした。さらに、保冷剤注入部分と外側ビニールの間に空気層を設け、保温効果を高めた。
本ペットボトル用の保温カバーは、カバーと保冷剤が一体であればよく、形状及び内部の仕組み、さらに材質については、何ら制限されるものではない。
【００１１】
本弁当箱用の保温カバーについては、使い捨てカイロを収納するポケットが設けられている弁当箱用カバーであれば、形状及び材質に何ら制限されるものではない。
【図面の簡単な説明】
【図１】本発明（請求項１）の斜視図である。
【図２】本発明（請求項１）の断面図である。
【図３】本発明（請求項２）の斜視図である。
【符号の説明】
１は、ペットボトル用カバー。　２は、保冷剤部分。　３は、保冷剤。
４は、弁当箱用の保温カバー。　５は、使い捨てカイロ及び保冷剤を収納で
きるポケット。
【図１】
2004059145.tif 000003
【図２】
2004059145.tif 000004
【図３】
2004059145.tif 000005
(57)【要約】　　　（修正有）【課題】重い容器に入れられた液体を、力の弱い子どもや女性等、又片手が不自由な人にでも、手軽にペットボトルへの液体の移し変えを容易にできるよう、アダプター式固定型じょうごを提供する。【解決手段】ペットボトルアダプター２を取り付けたじょうご１に、ペットボトルを接合、固定することにより、液体の移し変えを容易に誰にでもできるようにする。【選択図】　図１
2004059143.tif 000002
【特許請求の範囲】
【請求項１】
ペットボトルアダプターを利用し、ペットボトル（以下ボトルと呼ぶ）とじょうごを固定させることで、液体を容易に移し変えるようにしたものである。
【発明の詳細な説明】
【０００１】
【発明の属する技術分野】
本発明は、液体を移し変える不便さを解決するため、じょうごとボトルの接合部に、ネジ山を設け固定できるようにしたものである。
【０００２】
【従来の技術】
従来のものは、ボトルに差し込んだだけで使用するものであった。
【０００３】
【発明が解決しようとする課題】
従来のものは、ボトルに差し込んだ場合、不安定なため手を添えないと、液体を容易に移し変えられないという難点があった。本発明は、この課題を解消するためになされたものである。
【０００４】
【課題を解決するための手段】
ペットボトルアダプター（２）を取り付けられたじょうごに、ボトルを固定し、さらに空気抜きパイプ（３）を設けることにより、ボトルの空気は外部に排出され、液体は容易にボトルに流れ落ちるのである。
【０００５】
【発明の実施の形態】
以下本発明の実施形態について説明する。
（イ）じょうご本体固定（ネジ）部Ａ（４）と、ペットボトルアダプター固定（ネジ）部Ｂ（５）を接合させ固定し、ボトル固定（ネジ）部（６）にボトルを接合させ、固定させる。
（ロ）ペットボトルアダプター（２）のじょうご、ボトル固定部中間点に液体流出口（７）を設け、さらに中心部に空気抜きパイプ（３）を設け、液体がスムーズに流れ落ちるようにする。
（ハ）空気抜きパイプ下部（空気排出口）は、流れ落ちた液体が、排出される空気に吸い込まれないようラッパ状に広げる。
【０００６】
【発明の効果】
じょうごとボトルを固定させるため、手を添えなくても液体の移し変えが容易にできる。又アダプターの交換により、液体以外の移し替えも可能となる。
【図面の簡単な説明】
【図１】本発明の斜視図である。
【図２】本発明の分解断面図である。
【符号の説明】
１じょうご本体
２ペットボトルアダプター
３空気抜きパイプ
４じょうご固定（ネジ）部Ａ
５じょうご固定（ネジ）部Ｂ
６ペットボトル固定（ネジ）部
７液体流出口
【図１】
2004059143.tif 000003
【図２】
2004059143.tif 000004
(57)【要約】【課題】従来のウオーターボトル容器ではボトル容器の厚さが均一であったので，どうしても底部の接地面にかなりの水圧がかかり，移動のたびに底部に衝撃を受けやすくこれが原因で容器にひび割れや破損をが起こりやすく，結果として水漏れをおこし，又，底部が平らな為に，指が掛からないので，持つときはボトルの上部を押して底に空間を作ったうえで指をいれてから持ち上げねばなならず，その上持ったときに滑りやすく，危険であった，そのため容器を支えるのに腕全体に必要以上の力を必要としていたものを，ゴムを設置し底をアーチ状したことで，半永久的に便用でき又，持ち運び易く，滑りにくいという，従来のかなりの欠点を補うことができる。【解決手段】ウオーターボトルの底にゴムつけることで，水漏れをなくした結果ウオーターボトルが使い物にならなくなるということが飛躍的に減ったのでゴミがへり，結果として新しいボトルを増やす必要がなく又，底をアーチ状にする事で，持ち易くなり，落とすと言う危険性も減らすことが可能になった。【選択図】図４
2004059144.tif 000002
【特許請求の範囲】
【請求項１】
ボトル容器の底部の接地面を３ケ所にして，各々の接地面にゴム
のカバーを付けることで，輸送時や持ち運ぶときの衝撃を減らす事で，飛躍的に繰り返し使用できるようにし，同時にボトルを滑りにくくしたボトル容器。
【請求項２】
ボトル容器の底をアーチ型にする事で容器を移動するときに，持
ち運びやすくした容器。
【発明の詳細な説明】
【０００１】
【発明の属する技術分野】本発明は液体を入れる為のプラチック容器の底に接地面を３ケ所もうけ，その接地面にゴムを付けることで，輸送時や持ち運びの時の衝撃を吸収することが出来るようにしたので，飛躍的に繰り返し利用できるようになる。
【０００２】
【従来の技術】この従来のウーターボトルでは２年位，使用し続けると底部以外はなんら問題はないのだが，容器の厚さが技術的に均一しか出来ないので，どうしても底部の接地面に衝撃や水圧がかかりひび割れや破損をして水漏を起こしてしまいます。一度水漏れを起こすと，現在の技術では修復ができないので，ゴミとして処分する以外方法がなく。又ボトルの重さが１個約２０Ｋｇで大きさは石油の１斗缶以上で底が平らなために，持ち上げるには指がそのままでは入らないので，ボトルの上部を押して底に空間を作ってから持ち上げねばならないし，持ち上げた後も指を曲げて支えることができないために，非常に滑りやすく持ちにくい容器であった。
【０００３】
【発明が解決しようとする課題】このウオーターボトルの容器では一度水が漏れると，ゴミとして処分する以外方法はなく数年たつとかなりの容器が水漏れを起こすと言う問題があった。このボトルは大型のボトルなので，処分費用も割高になり，資源の有効利用の観点からも問題があり又，約２０キロ近いボトルを持ち運ぶ為には底が平らなたなので底に指を入れることができないので，ボトルの上部を押して底に空間を作り，指を入れて持ち上げなければならず，持ち上げた後も指を曲げることが出来ず，滑りやすく必要以上に指先に力を必要としていた。
【０００４】
【課題を解決するための手段】ウオーターボトルの底部にゴムをつけることで，半永久的に繰り返し使用することが可能になった。又，底をアーチ型にして指の付けねを曲げて持てるようにしたので，身長の違いつまり腕の長さにより持ち易い場所を選んで持て且つ，底に空間を作る必要もなくなり，滑りにくく，不必要な腕の力もいらなくなった。
【０００５】
【発明の実施の形態】ボトルの底をＶ形状に加工を施しブロー成形用の金型を製作する。
【０００６】
【実施例】ブロー成形機により，考案したボトルの製品をつくる。
【０００７】
【発明の効果】ウオーターボトルにゴムを設置したことで，本容器は半永久的に使用する事が出来るようになり，結果，ゴミとしての処分代を減らす事ができ，不足したボトルを補う為の費用も減らすことがでる上に，持ち易く，輸送時及び，手作業時に滑りにくいという効果がある。
【図面の簡単な説明】
【図１】本発明のウオーターボトルの上面図である。
【図２】本発明のウオーターボトルの側面図である。
【図３】本発明のウオーターボトルの底面図である。
【図４】本発明のウオーターボトルの断面図である。
【符号の説明】
１　　　　　　　　　ボトルを上から見たところ。
２　　　　　　　　　ボトルを横から見たところ。
３　　　　　　　　　横から見た接地面とゴムカバーの部分。
４　　　　　　　　　ボトルを下から見たところ。
５　　　　　　　　　下から見た接地面とゴムカバーの部分。
６　　　　　　　　　ボトルの断面図。
７　　　　　　　　　断面図の接地面とゴムカバーの部分。
【図１】
2004059144.tif 000003
【図２】
2004059144.tif 000004
【図３】
2004059144.tif 000005
【図４】
2004059144.tif 000006
(57)【要約】【課題】ホテルや旅館等の浴室や洗面所などには、液体ボディソープ、シャンプー、リンス等の液体化粧品を収納した複数のボトルを備えているが、ボトルのキャップを開いて、ボトル内部に異物を混入させる等のイタズラをする客がある。そこで、ボトルに異物混入等のイタズラをするのを止めさせることができるボトルホルダーを提供する。【解決手段】複数のボトル１を保持可能なホルダー本体４に、傾きを検知する傾きセンサ５と、傾きを検知したときに音や光等による警報を発する警報発生装置６とを具えたことを特徴とする。【選択図】　　　　図２
2004059119.tif 000002
【特許請求の範囲】
【請求項１】
複数のボトル１を保持可能なホルダー本体４に、傾きを検知する傾きセンサ５と、傾きを検知したときに音や光等による警報を発する警報発生装置６とを具えたことを特徴とするボトルホルダー。
【請求項２】
複数のボトル１を並べて載置可能とした台７と、複数のボトル１の各キャップ２をそれぞれ下側から挿入させて、それらキャップ２に手を触れにくくしてキャップ２の開閉操作を不能とし、かつ、キャップ２に取付けたポンプ付きノズル３だけを上面より上方へ突出可能とする孔１２を設けた被せ板８と、上下の被せ板８と台７とを一定の間隔を保って連結する連結棒９とによりホルダー本体４を構成し、そのホルダー本体４の被せ板８と台７との間にボトル１を挟んで保持可能とした請求項１記載のボトルホルダー。
【発明の詳細な説明】
【０００１】
【発明の属する技術分野】
本発明は複数のボトルを一まとめにして保持するボトルホルダーに関する。
【０００２】
【従来の技術】
ホテルや旅館等の浴室や洗面所などには、液体ボディソープ、シャンプー、リンス等の液体化粧品を収納した複数のボトルを備えている。
【０００３】
これら複数のボトルは、バラバラに分散してしまうと使用に不便である。また、ボトルのキャップを開いて、ボトル内部に異物を混入させる等のイタズラをする客もいる。そこで、複数のボトルを一まとめに連結し、かつ、ボトルのキャップを開けにくくして、異物混入等のイタズラを防止するようにした各種のボトルホルダーが発明されている。
【０００４】
しかしながら、液体化粧料を補充する必要もあるので、ボトルのキャップを全く開けない状態にすることは無理である。したがって、キャップを開いて異物を混入させるイタズラは絶えない。そして、このようなイタズラをする者は、人から咎められない限りイタズラを止めない傾向がある。
【０００５】
【発明が解決しようとする課題】
そこで本発明は、ボトルのキャップを開けようとすると、警報を発してイタズラを止めさせることができるボトルホルダーの提供を課題とする。
【０００６】
【課題を解決するための手段】
上記課題を解決するために、本発明のボトルホルダーは、複数のボトル１を保持可能なホルダー本体４に、傾きを検知する傾きセンサ５と、傾きを検知したときに音や光等による警報を発する警報発生装置６とを具えたことを特徴とする、という構成にしたものである。
【０００７】
なお、本発明のボトルホルダーは、複数のボトル１を並べて載置可能とした台７と、複数のボトル１の各キャップ２をそれぞれ下側から挿入させて、それらキャップ２に手を触れにくくしてキャップ２の開閉操作を不能とし、かつ、キャップ２に取付けたポンプ付きノズル３だけを上面より上方へ突出可能とする孔１２を設けた被せ板８と、上下の被せ板８と台７とを一定の間隔を保って連結する連結棒９とによりホルダー本体４を構成し、そのホルダー本体４の被せ板８と台７との間にボトル１を挟んで保持可能とした構成にすることができる。
【０００８】
【発明の実施の形態】
以下、図を用いて、本発明の実施の形態について説明する。まず、本発明のボトルホルダーは、液体ボディソープ、シャンプー、リンス等の液体化粧品を収納した複数のボトル１を一まとめにして保持するものである。ボトル１は、その口頸部にキャップ２を着脱自在とし、かつ、そのキャップ２にポンプ付きノズル３を取付けて、液体化粧品を分配できる構造になっている。
【０００９】
本発明のボトルホルダーは、ホルダー本体４に傾きセンサ５と、警報発生装置６とを具えている。
【００１０】
ホルダー本体４は台７と、被せ板８と、連結棒９とによって構成することができる。
【００１１】
傾きセンサ５と、警報発生装置６は、ホルダー本体４の適宜な個所に設置することができる。例えば、図に示したように、台７の内部に取り付けることができる。なお、電源装置１０も台７の内部に収納可能である。
【００１２】
台７は、その上面に複数のボトル１を並べて載置できる構造にしている。また、台７の上面には各ボトル１の底部を嵌入可能な凹部１１を設けることができる。
【００１３】
被せ板８は、各ボトル１のキャップ２を下側から挿入させて、それらキャップ２に手を触れにくくしてキャップ２を開くことができないようにするとともに、ポンプ付きノズル３だけを上面より上方へ突出可能とする孔１２を設けている。
【００１４】
連結棒９は、上下の被せ板８と台７とを、間隔を一定に保ちながら連結している。この連結棒９の取付位置は自由であり、例えば図示したように、左右両端の２箇所に取り付けることができる。なお、連結棒９の構造は自由であり、例えば図示したように、ネジ１３と、そのネジ１３を上下両端にそれぞれ螺着可能としてスペーサの役割を果たすパイプ１４とによって構成することができる。
【００１５】
傾きセンサ５は、ホルダー本体４を持ち上げようとして少し傾いたときに、その傾きを検出できるようにしたもので、例えば水銀スイッチ等を使用することができる。
【００１６】
警報発生装置６は、上記の傾きセンサ５からの信号を受けて作動し、音や光などによって警報を発するものであり、例えばブザーなどを使用することができる。
【００１７】
【発明の効果】
請求項１記載の本発明のボトルホルダーは、ホルダー本体４を持ち上げようとして傾いたときに、傾きセンサ５がその傾きを検知して警報を発するので、ボトルホルダーに手を触れるのを躊躇するようになる。したがって、ボトル１のキャップ２を開く前に警報が発せられる可能性が高いので、ボトル内に異物を混入させるイタズラを予防することができる。
また、請求項２記載のボトルホルダーは、被せ板８の孔１２にボトル１のキャップ２を挿入させて、そのキャップ２に手を触れにくくしたことにより、被せ板８を取り外さない限りキャップ２を開くことができず、被せ板８を外すには連結棒９も取り外す必要があり、これらの分解作業が極めて面倒なので、安易にボトル１のキャップ２を開くことがなくなって、異物を混入するイタズラも減少する。
【図面の簡単な説明】
【図１】斜視図である。
【図２】図１のＡ−Ａ線断面図である。
【符号の説明】
１　ボトル
２　キャップ
３　ポンプ付きノズル
４　ホルダー本体
５　傾きセンサ
６　警報発生装置
７　台
８　被せ板
９　連結棒
１０　電源装置
１１　凹部
１２　孔
１３　ネジ
１４　パイプ
【図１】
2004059119.tif 000003
【図２】
2004059119.tif 000004
(57)【要約】【課題】従来、塗膜剥離剤としては、塩素系溶剤を主成分とする組成物が使用されている。しかし、塩素系溶剤は、これによる公害の発生や作業環境の悪化を伴うため、使用が規制されている。近年、塩素系溶剤を使用しない塗膜剥離剤が検討されているが、塗膜剥離能力において満足できるものではない。本発明は、労働安全衛生法・有機溶剤中毒予防規則、ＰＲＴＲ法、毒劇法の規制を受ない塗膜剥離組成物に関するものである。【解決手段】下記（Ａ）―（Ｄ）の成分が下記の比率で構成されることを特徴とする剥離剤組成物：（Ａ）極性非プロトン溶剤が３０〜５０重量％、（Ｂ）芳香族溶剤が３０〜６０重量％、（Ｃ）セルロース系増粘剤が１〜１０重量％、（Ｄ）　アミン類が３〜１０重量％。【選択図】　　　　なし【特許請求の範囲】
【請求項１】
下記（Ａ）―（Ｄ）の成分が下記の比率で構成されることを特徴とする剥離剤組成物：（Ａ）極性非プロトン溶剤が３０〜５０重量％、（Ｂ）芳香族溶剤が３０〜６０重量％、（Ｃ）セルロース系増粘剤が１〜１０重量％、（Ｄ）　アミン類が３〜１０重量％。
【請求項２】
請求項１の塗膜剥離剤の使用法において、浸漬、スプレー又はブラシを使用する塗布によって行うことを特徴とする塗膜剥離方法。
【請求項３】
木材、スチール、ステンレススチール、アルミニウム、銅及び鉄のような金属及びそれらの合金、並びにガラスの上に堆積されたインキ塗膜を剥離するための、請求項１に記載の組成物、及び請求項２の使用法。
【発明の詳細な説明】
【０００１】
【発明が属する技術分野】
本発明は、ジクロロメタンなどの塩素系溶剤を使用しない塗膜剥離剤に関するものである。
【０００２】
【従来の技術】
塗膜剥離剤としては、従来、塩素系溶剤を主成分とする組成物が使用されている。しかし、塩素系溶剤は、これによる公害の発生や作業環境の悪化を防止するために、その使用が規制されている。そこで、最近では、塩素系溶剤を使用しない塗膜剥離剤が検討されている。しかし、塗膜剥離能力において満足できるものではない。
【０００３】
【発明が解決しようとする課題】
近年、ジクロロメタンを主成分としない、安全性の高い塗膜剥離剤が検討されている。例えば、特開平５−２７９６０７号公報にＮ−メチルー２−ピロリドンを成分とする塗膜剥離剤が提案されている。しかし、その剥離剤は水との混合物で、固着したインキ塗膜に対する剥離効果が不十分である。
【０００４】
本発明の目的は労働安全衛生法・有機溶剤中毒予防規則、ＰＲＴＲ法、毒劇法の規制を受けず、実用的な塗膜剥離組成物を提供することにある。
【０００５】
【課題を解決するための手段】
本発明は下記（Ａ）―（Ｄ）の成分が下記の比率で構成されることを特徴とする剥離剤組成物を提供する：（Ａ）極性非プロトン溶剤が３０〜５０重量％、（Ｂ）芳香族溶剤が３０〜６０重量％、（Ｃ）セルロース系増粘剤が１〜１０重量％、（Ｄ）　アミン類が３〜１０重量％。
【０００６】
極性非プロトン溶剤（Ａ）としては、Ｎ−メチルモルホリン、Ｎ−メチルー２−ピロリドン、ジメチルスルホキシド、ジメチルホルムアミド、アセチルアセトン、アセトニトリルが好適に使用できる。必要に応じ、これらの極性非プロトン溶剤は一種または二種以上を混合して使用することができる。その極性非プロトン溶剤の好ましい含有量は３０−５０重量％である。その範囲外では剥離効果が弱くなる。
【０００７】
芳香族溶剤（Ｂ）としては、沸点が１５０℃以上の高沸点芳香族溶剤が好適であるが、法規制を考慮すると、１，２，４−トリメチルベンゼン、ジイソプロピルベンゼン、ジエチルベンゼン、メチルイソプロピルベンゼンなどがより好適に使用できる。必要に応じ、これらの芳香族溶剤は一種または二種以上を混合して使用することができる。上記高沸点芳香族溶剤を添加することにより、浸透膨潤ひいては軟化時間を飛躍的に短縮出来ることが特徴である。その芳香族溶剤の好ましい含有量は３０〜６０％である。その範囲外では剥離効果が弱くなる。
【０００８】
セルロース系増粘剤（Ｃ）としてはセルロース誘導体のメチルセルロース、エチルセルロース、ヒドロキシエチルセルロース、プロピルセルロース、ブチルセルロース、ヒドロキシプロピルセルロース、ヒドロキシプロピルメチルセルロース、カルボキシエチルセルロースが好適に使用できる。必要に応じ、これら増粘剤の一種または二種以上を混合して使用することができる。これらのセルロース系増粘剤により、適度な粘度が発生する。それにより、液ダレが防止され、塗布方法、塗布対象の適用範囲が拡大する。この増粘剤の含有量は、好ましくは、１−１０重量％、より好ましくは、１−５重量％である。１重量％以下では粘度不足で液ダレの原因となり、１０重量％以上では流動性を失い、作業性を低下させる。
【０００９】
アミン類（Ｄ）としてはモノメチルアミン、モノエチルアミン、イソプロピルアミン、モノブチルアミンやシクロヘキシルアミン、モノエタノールアミン、ジエタノールアミン、トリエタノールアミン、イソプロパノールアミンが好適に使用できる。そのアミン類の好ましい含有量は３〜１０重量％である。その範囲外では剥離効果が弱くなる。
【００１０】
本発明の組成物には、溶解助剤、界面活性剤、蒸発遅延剤などの添加剤を加えることができる。
【００１１】
溶解助剤としてはシクロペンタノンまたは置換シクロペンタノンが挙げられる。
【００１２】
界面活性剤としては非イオン、アニオン、カチオン活性剤が挙げられる。
【００１３】
蒸発遅延剤としては、パラフィンワックスまたは高融点有機化合物として高級脂肪酸およびそのエステル、高級アルコールなどが挙げられる。
【００１４】
以下、実施例をあげて本発明をさらに、具体的に説明する。なお、｛％｝は重量％である。
【００１５】
【実施例１】
Ｎ−メチルー２−ピロリドン（ＮＭＰ）３５％、１，２，４−トリメチルベンゼン６０％、イソプロパノールアミン３．５％、メトローズ６０ＳＨ４０００（信越化学工業製　ヒドロキシプロピルメチルセルロース）１．５％を混合して剥離液を得た。
【００１６】
実施例２、３および比較例１−８は、実施例１と同様の方法で表１に示す配合組成の剥離液を得た。
【表１】
2004059675.tif 000002
【００１７】
剥離性能試験１（酸化硬化インキ剥離試験）
アルミ板に酸化硬化インキのジオスＧ藍（大日本インキ化学工業製）を１０−２０μｍの厚さとなるように塗膜し、空気中で１週間以上暴露したものに、試作品原液を一定量（５ｇ）滴下し、その剥離度合いを比較した。
◎　完全に固着インキが除去できたもの（インキ除去率９０〜１００％）
○　わずかに一部固着インキが残ったもの（インキ除去率６０〜９０％）
△　固着インキが薄く、相当に残ったもの（インキ除去率３０〜６０％）
×　固着インキがほとんど除去できないもの
【００１８】
剥離性能試験２（ＵＶ硬化インキ剥離試験）
アルミ板にＵＶ硬化インキのＢｅｓｔｃｕｒｅ　１６１赤Ｓ（大日本インキ化学工業製）を１０−２０μｍの厚さとなるように塗膜し、紫外線で硬化したものに対し、剥離性能試験１と同様に、試験を行った。
【００１９】
液ダレ評価試験
４５度に傾けたアルミ板に試験原液を一定量（５ｇ）滴下し、１分後に液ダレした距離を測定した。
◎　５ｃｍ以下
○　５〜１０ｃｍ
△　１０〜２０ｃｍ
×　２０ｃｍ以上
【００２０】
その剥離性能比較を表２に示した。
【表２】
2004059675.tif 000003
(57)【要約】【課題】蛞蝓や蟻、ムカデ、鳥等を忌避させる為使用する動物忌避剤を自然蒸発や雨、散水等に対しても忌避効果が長続きし、又、垂直面に散布しても流れ落ちず、手などに付着しないで手軽に散布出来る、竹酢粉末を利用した動物忌避剤を提供する。【解決手段】本発明の動物忌避剤１は、竹酢液を凍結乾燥させて製造した竹酢粉末とポリビニールアルコールなどの高分子化合物を混合させ自然蒸発や雨、散水等に対して耐久性を持たせ、該動物忌避剤１を適当な粘度にした物を筒状で上面にスポンジ５等の多孔質材料を具備した軟質樹脂容器２に入れ、簡単にしかも垂れずに垂直面にも塗布出来るようにした。【選択図】　　　　　　図１
2004059464.tif 000002
【特許請求の範囲】
【請求項１】
竹酢液を凍結乾燥（フリーズドライ）した竹酢粉末とポリビニールアルコールなどの高分子化合物を混合させたことを特徴とする動物忌避剤。
【請求項２】
請求項１に記載した動物忌避剤を適当な粘度にし、筒状で上面にスポンジ等の多孔質材料を具備した軟質樹脂容器に入れ、簡単に塗布出来ることを特徴とする動物忌避剤。
【発明の詳細な説明】
【０００１】
【発明の属する技術分野】本発明は、蛞蝓、蟻、ムカデ、鳥等に対して使用される動物忌避剤に関する。
【０００２】
【従来の技術】従来、竹酢液や木酢液を使用した動物忌避剤としては原液或いは水希釈液を散布したり、スポンジ等の多孔質材料に保持させ使用していた。
【０００３】
【発明が解決しようとする課題】前述の技術では自然蒸発や雨、散水等に流され、忌避効果が長続きしないという欠点があり、又、竹酢液として販売されている製品の品質にばらつきが多く、忌避効果を存続させる為何度も散布しなければならず非常に手間がかかるという問題点があった。
【０００４】
又、竹酢液は完全な液体の為、垂直面に散布してもほとんどが流れ落ち、忌避効果が半減するという欠点があり、しかも竹酢液自体に刺激臭がある為、散布作業中うっかり手などに付着させてしまうと臭いが簡単には落ちないという問題点もあった。
【０００５】
そこで本発明は、このような問題点を考慮してなされたもので、忌避効果を長期間持続させ、垂直面にも塗布出来る様にし、しかも手などに付着する事も無いようにしたことを課題とする。
【０００６】
【課題を解決するための手段】前述の課題を解決するため、本発明に係る動物忌避剤は、次のような手段を採用する。
【０００７】
即ち、請求項１において、竹酢液を凍結乾燥させて製造した竹酢粉末とポリビニールアルコールなどの高分子化合物を混合させたことを特徴とする。
【０００８】
この手段では、竹酢液を凍結乾燥させることによって竹酢液が持つ忌避成分だけをより濃縮することが出来、この竹酢粉末をポリビニールアルコールなどの高分子化合物と混合させれば同じ重量の竹酢液よりも忌避成分濃度が高いものができる。
【０００９】
又、請求項２において、請求項１に記載した動物忌避剤を適当な粘度にし、筒状で上面にスポンジ等の多孔質材料を具備した軟質樹脂容器に入れ、簡単に塗布出来ることを特徴とする。
【００１０】
この手段では、竹酢粉末とポリビニールアルコールなどの高分子化合物を用途に合わせて濃度および、粘度を変化させ混合した動物忌避剤を筒状で上面にスポンジ等の多孔質材料を具備した軟質樹脂容器に入れ、該軟質樹脂容器を手に持ち容器側面を押して該上面のスポンジ面から染み出てくる該動物忌避剤を塗布出来るようにしたものができる。
【発明の実施の形態】以下、本発明に係る動物忌避剤の実施の形態を図面に基づいて説明する。
【００１１】
図１〜図２は、本発明に係る動物忌避剤の実施の形態を示すものである。
【００１２】
図１において、Ａは軟質樹脂容器で、以下に示すような部品構成になっている。
【００１３】
１は請求項１の動物忌避剤で容器２の中に適量入れられている。３はねじ部でキャップ６と脱着自在に出来るようになっている。４はスポンジキャップでスポンジ５が具備してあり、該スポンジ５から動物忌避剤１が染み出してくる。
【００１４】
図２において、Ｂは草花で鉢１０に植えられており、鉢１０の上部に動物忌避剤１が塗布してある。なお、動物忌避剤１を塗布する場所は使用者により任意に決められ、図のように鉢の縁に一周するよう塗布してもよいし、複数、または点状に塗布することも出来る。
【００１５】
本実施例では、該動物忌避剤に着色などせず竹酢粉末本来の色になっているが、各種着色料などで色を着色し、見た目も良好な物も製造可能である。
【００１６】
竹酢粉末とポリビニールアルコールなどの高分子化合物の混合比は用途に合わせ多粘度化したり、噴霧器でも散布出来る様な低粘度に変化させる事も可能であり、又、竹酢粉末の量を忌避させたい動物の種類によって変化させる事も可能である。
【００１７】
図２は本実施例で鉢の縁に本発明品を塗布したものである。
【００１８】
【発明の効果】以上のように、本発明に係る動物忌避剤は従来液体だった竹酢液を物理的、科学的変化をさせずに濃縮化、粉末状にし、ポリビニールアルコールなどの高分子化合物と混合させることによって多粘度化させ自然蒸発を従来の物に比べ最小限にし、垂直面にも垂れ落ちずに塗布出来る効果がある。
【００１９】
さらに、竹酢液を凍結乾燥させて製造した竹酢粉末は同じ重量の竹酢液よりも動物忌避成分濃度が高いので、竹酢液をそのままポリビニールアルコールなどの高分子化合物に混合する以上の動物忌避成分が含有されるという効果がある。
【００２０】
さらに、特に図示はしていないが野菜、果樹等を植えたプランターなどにも使用すれば上記の相乗効果によって従来、網などを被せて鳥害を防いでいたものが網なども必要とせずに長期間、蟻、鳥等から野菜、果樹等を守ることが出来る。
【００２１】
又、筒状で上面にスポンジ等の多孔質材料を具備した軟質樹脂容器に該動物忌避剤を入れて使用することによって、手などに動物忌避剤が付着することなく簡単に塗布出来る効果がある。
【図面の簡単な説明】
【図１】本発明の全体図である。
【図２】本発明の使用実施例である。
【符号の説明】
Ａ　　　軟質樹脂容器
Ｂ　　　草花
１　　　動物忌避剤
２　　　容器
３　　　ねじ部
４　　　スポンジキャップ
５　　　スポンジ（多孔質材料）
６　　　キャップ
１０　　鉢
【図１】
2004059464.tif 000003
【図２】
2004059464.tif 000004